(57)【要約】【課題】排水性に優れた屋根構造を提供すること。【解決手段】横桟４を、軒棟方向に間隔を置いて屋根下地８に複数並設し、軒側の屋根材５の棟側部５１を横桟４に係止し、棟側の屋根材５の軒側部５２を軒側の屋根材５の棟側部５１上に載置することにより、屋根材５が葺設される屋根構造において、屋根下地８の軒側端部８５には横桟保持具１を介して横桟４を屋根下地８に配設し、軒側端部８５より棟側には横桟保持具２を介して横桟４を配設する。横桟保持具１、２は、屋根下地８に取着される固定部１１、２１から立設された左右の支持部１２、２２により、横桟４を支持するので、横桟４と屋根下地８との間に間隙を生じ、この間隙を介して排水、通気が行われる。【選択図】　図１
2004044159.tif 000002
【特許請求の範囲】
【請求項１】
長手方向が妻方向と略平行になるように配設された横桟を、軒棟方向に間隔を置いて屋根下地に複数並設し、軒側の屋根材の棟側部を前記横桟に係止し、棟側の屋根材の軒側部を前記軒側の屋根材の前記棟側部上に載置することにより、屋根材が葺設される屋根構造において、
前記各横桟は、横桟保持具を介して前記屋根下地に配設され、
前記横桟保持具は、固定部と、前記固定部の左右の側端部からそれぞれ立設された左右の支持部と、前記固定部の前端部、または、前記固定部の前記前端部より後方の部位から、前記各支持部より高く立設された立上がり部と、前記立上がり部の上端部から後方に延設された押さえ部とを備え、
前記横桟保持具の前記固定部が、前記屋根下地に取着され、
前記各横桟は、前記各支持部と前記押さえ部との間に挿入されることにより、前記横桟保持具に保持され、
前記屋根下地の軒側端部に配設された前記横桟に、軒先用の屋根材の軒側部が載置されていることを特徴とする屋根構造。
【請求項２】
前記軒側端部に配設された前記横桟を保持する前記横桟保持具は、前記各支持部の立上がりの高さが、前記軒側端部より棟側に配設された前記横桟を保持する前記横桟保持具の前記各支持部の立上がりの高さより、高く形成されていることを特徴とする請求項１記載の屋根構造。
【請求項３】
前記軒側端部に配設された前記横桟を保持する前記横桟保持具の下に、水切り部材が配設されていることを特徴とする請求項１または２記載の屋根構造。
【請求項４】
前記軒側端部に配設された前記横桟を保持する前記横桟保持具の軒側面を略覆うカバー部材が配設されていることを特徴とする請求１、２、または、３のいずれかに記載の屋根構造。
【請求項５】
屋根材が係止される横桟を保持するための横桟保持具であって、
屋根下地に取着される固定部と、
前記横桟を支持するため、前記固定部の左右の側端部からそれぞれ立設された左右の支持部と、
前記固定部の前端部、または、前記固定部の前記前端部より後方の部位から、前記各支持部より高く立設された立上がり部と、
前記横桟を押さえるため、前記立上がり部の上端部から後方に延設された押さえ部と、
を備えることを特徴とする横桟保持具。
【発明の詳細な説明】
【０００１】
【発明の属する技術分野】
本発明は、屋根構造に関し、特に排水性に優れた屋根構造に関する。
【０００２】
【従来の技術】
従来の屋根構造として、図１２に示すように、防水紙等のルーフィング８１、野地板８２、広小舞８３等から構成される屋根下地８に、横桟４を、その長手方向が妻方向と略平行になるように、軒棟方向に間隔を置いて複数並設し、軒側の屋根材（ここでは瓦であるので、以下、瓦とも言う）５の棟側部５１下面を横桟４に係止し、棟側の瓦５の軒側部５２を軒側の瓦５の棟側部５１上に載置することにより、瓦５を葺設したものが知られている。
【０００３】
なお、横桟４には、屋根下地８の軒側端部８５に配設される瓦座４２や、軒側端部８５より棟側に配設される瓦桟４１等が含まれる。そして、瓦桟４１には、瓦５の棟側部５１に形成された引掛け部分が係止され、瓦座４２には、軒先用の瓦５である軒瓦５ａの軒側部５２が載置される。
【０００４】
また、この明細書において、軒方向とは軒に向かう方向（すなわち、屋根の流れ方向であり、図１及び図１２における矢印方向）を言い、棟方向とは軒方向と反対方向を言い、軒棟方向とはそれら両方向を言うものとする。また、妻方向とは屋根上で軒棟方向に直交する方向（図１及び図１２においては、紙面手前から奥、及び、紙面奥から手前に向かう方向）を言うものとする。
【０００５】
【発明が解決しようとする課題】
しかし、上記従来の屋根構造においては、瓦５の欠損部分等から浸入した浸入水が軒方向に流れて、軒先部９に溜まるので、木製である瓦座４２、広小舞８３、鼻隠８４等が腐食する虞があった。
【０００６】
この発明は、上述した問題を解決するものであり、排水性に優れた屋根構造を提供することを目的とする。
【０００７】
【課題を解決するための手段】
本発明の屋根構造は、長手方向が妻方向と略平行になるように配設された横桟を、軒棟方向に間隔を置いて屋根下地に複数並設し、軒側の屋根材の棟側部を前記横桟に係止し、棟側の屋根材の軒側部を前記軒側の屋根材の前記棟側部上に載置することにより、屋根材が葺設される屋根構造において、前記各横桟は、横桟保持具を介して前記屋根下地に配設され、前記横桟保持具は、固定部と、前記固定部の左右の側端部からそれぞれ立設された左右の支持部と、前記固定部の前端部、または、前記固定部の前記前端部より後方の部位から、前記各支持部より高く立設された立上がり部と、前記立上がり部の上端部から後方に延設された押さえ部とを備え、前記横桟保持具の前記固定部が、前記屋根下地に取着され、前記各横桟は、前記各支持部と前記押さえ部との間に挿入されることにより、前記横桟保持具に保持され、前記屋根下地の軒側端部に配設された前記横桟に、軒先用の屋根材の軒側部が載置されていることを特徴とする。
【０００８】
ここで、前記軒側端部に配設された前記横桟を保持する前記横桟保持具は、前記各支持部の立上がりの高さが、前記軒側端部より棟側に配設された前記横桟を保持する前記横桟保持具の前記各支持部の立上がりの高さより、高く形成されていることが好ましい。
【０００９】
また、前記軒側端部に配設された前記横桟を保持する前記横桟保持具の下に、水切り部材が配設されていることが好ましい。
【００１０】
さらに、前記軒側端部に配設された前記横桟を保持する前記横桟保持具の軒側面を略覆うカバー部材が配設されていることが好ましい。
【００１１】
本発明の横桟保持具は、屋根材が係止される横桟を保持するための横桟保持具であって、屋根下地に取着される固定部と、前記横桟を支持するため、前記固定部の左右の側端部からそれぞれ立設された左右の支持部と、前記固定部の前端部、または、前記固定部の前記前端部より後方の部位から、前記各支持部より高く立設された立上がり部と、前記横桟を押さえるため、前記立上がり部の上端部から後方に延設された押さえ部と、を備えることを特徴とする。
【００１２】
【発明の実施の形態】
以下、本発明の実施形態を図面に基づいて説明する。なお、上記した従来の屋根構造と同様の部分については、同じ符号を用いる。
【００１３】
図１に示すように、本実施形態の屋根構造では、屋根下地８は、従来と同様にルーフィング８１、野地板８２等により構成されている。屋根下地８の軒側端部８５には、横桟保持具１を介して横桟４が取着され、屋根下地８の軒側端部８５より棟側の部位には、横桟保持具２を介して別の横桟４が取着されている。なお、各横桟４は、長手方向が妻方向と略平行になるように配設され、かかる横桟４が、軒棟方向に間隔を置いて屋根下地８に複数並設されている。
【００１４】
横桟保持具１は、金属板を折り曲げ形成することにより、図２〜図４に示すように、固定部１１と、左右の支持部１２と、立上がり部１３と、押さえ部１４とを有するように構成されている。固定部１１は、互いに略平行な左右の側端部１１１と、各側端部１１１に略垂直な前端部１１２とを有して、平面視において略矩形をなす板状に形成されている。ここで、図２における左方を横桟保持具１の前方、図２における右方を横桟保持具１の後方、図２における紙面手前を横桟保持具１の右方、図２における紙面奥を横桟保持具１の左方とする。固定部１１には、後部に２つの釘孔１１３が穿設されている。
【００１５】
各支持部１２は、側面視において横長の略矩形をなす板状に形成され、固定部１１の各側端部１１１から（ここでは、各側端部１１１に沿って）、固定部１１に対して略垂直となるように立設されている。したがって、各支持部１２は、互いに略平行となっている。
【００１６】
立上がり部１３は、正面視において略矩形をなす板状に形成され、各支持部１２より高く立ち上がるように、固定部１１の前端部１１２から（ここでは、前端部１１２に沿って）、固定部１１に対して略垂直となるように立設されている。なお、立上がり部１３は、各支持部１２に対しても略垂直となっている。また、立上がり部１３の立上がりの高さは、各支持部１２の高さとの差が、横桟保持具１に保持される横桟４の高さに略一致するように定められる。
【００１７】
押さえ部１４は、立上がり部１３と略垂直になるように、立上がり部１３の上端部１３１から後方に延設され、平面視において略矩形をなす板状に形成されている。押さえ部１４には、後部に２つの釘孔１４１が穿設されている。
【００１８】
横桟保持具２も、金属板より形成され、図５〜図７に示すように、固定部２１と、左右の支持部２２と、立上がり部２３と、押さえ部２４とを有するように構成されている。固定部２１は、互いに略平行な左右の側端部２１１と、各側端部２１１に略垂直な前端部２１２とを有して、平面視において略矩形をなす板状に形成されている。なお、横桟保持具２の左右及び前後も、横桟保持具１と同様に定める。固定部２１には、前部及び後部にそれぞれ２つの釘孔２１３が穿設されている。
【００１９】
各支持部２２は、側面視において横に細長い略矩形をなす板状に形成され、固定部２１の各側端部２１１から（ここでは、各側端部２１１に沿って）、固定部２１に対して略垂直となるように立設されている。したがって、各支持部２２は、互いに略平行となっている。また、各支持部２２は、横桟支持具１の各支持部１２より、立上がりの高さが低くなるように形成されている。
【００２０】
立上がり部２３及び押さえ部２４は、固定部２１の中央部から後方にかけての部分を切り起こすことにより形成されている。立上がり部２３は、正面視において略矩形をなす板状に形成され、各支持部２２より高く立ち上がるように、固定部２１の前端部２１２より後方の部位（ここでは、固定部２１の前後方向における中央から少し前寄りの部位）から、前端部２１２に対して略平行となり、固定部２１に対して略垂直となるように立設されている。なお、立上がり部２３は、各支持部２２に対しても略垂直となっており、立上がり部２３の立上がりの高さは、各支持部２２の高さとの差が、横桟保持具２に保持される横桟４の高さに略一致するように定められる。
【００２１】
押さえ部２４は、立上がり部２３と略垂直になるように、立上がり部２３の上端部２３１から後方に延設され、平面視において略矩形をなす板状に形成されている。押さえ部２４には、後部に２つの釘孔２４１が穿設されている。
【００２２】
上記のように構成された横桟保持具１は、図１及び図８に示すように、屋根下地８の軒側端部８５に、妻方向（図８における矢印方向）に間隔を置いて並ぶように複数取着される。また、横桟保持具２は、図１及び図９に示すように、屋根下地８の軒側端部８５より棟側の部位に、妻方向に間隔を置いて並ぶように複数取着される。
【００２３】
ここで、横桟保持具１、２は、各側端部１１１、２１１が軒方向と略平行になり、前端部１１２、２１２が妻方向と略平行になるとともに軒側に配置されるように、固定部１１、２１が屋根下地８上に配置され、釘孔１１３、２１３に釘を打ち込むことにより固定部１１、２１が屋根下地８に固定される。
【００２４】
そして、妻方向に並ぶ各横桟保持具１の支持部１２と押さえ部１４との間に横桟４を挿入して、釘孔１４１に釘を打ち込むことにより、横桟４が各横桟保持具１に固定され保持される。同様に、妻方向に並ぶ各横桟保持具２の支持部２２と押さえ部２４との間に別の横桟４を挿入して、釘孔２４１に釘を打ち込むことにより、別の横桟４が各横桟保持具２に固定され保持される。なお、妻方向に並ぶ横桟保持具２の列は、軒棟方向に間隔を置いて複数列設けられ、各列に各別の横桟４が挿入されて固定され保持される。すなわち、各横桟４は長手方向が妻方向と略平行になるように屋根下地８上に配設され、かかる横桟４が軒棟方向に間隔を置いて複数並設されることとなる。
【００２５】
軒側端部８５に配設された横桟４上には、軒瓦５ａの軒側部５２が載置され、軒瓦５ａの棟側部５１の下面は、軒側端部８５より棟側に配置された横桟４に係止される。そして、軒瓦５ａの棟側部５１上に、棟側の瓦５の軒側部５２が載置される。この棟側の瓦５の棟側部５１は、図１には図示されていないが、軒瓦５ａと同様に、さらに棟側に配置された横桟４に係止されており、その上には、さらに棟側の瓦５の軒側部５２が載置される。すなわち、従来と同様に、軒側の瓦５の棟側部５１を横桟４に係止し、棟側の瓦５の軒側部５２を軒側の瓦５の棟側部上５１に載置することにより、複数の瓦５が屋根下地８上に葺設される。なお、各瓦５は、必要に応じて、緊結線や釘等を用いて横桟４に緊結または固定される。
【００２６】
そして、図１に示すように、横桟保持具１の下には、プラスチックや金属等で断面が略く字形をなす長尺の板状に形成された水切り部材７が、配設されている。水切り部材７は、一側部７１が、ルーフィング８１と野地板８２との間に挟まれるように野地板８２に固着され、他側部７２が、野地板８２の軒側上角部から斜め下方へ突出している。すなわち、図８に示すように、他側部７２は、妻方向に長い長尺状をなして、横桟保持具１の下方に突出している。
【００２７】
また、図１に示すように、軒瓦５ａの下には、プラスチックや金属等で断面が略く字形をなす長尺の板状に形成されたカバー部材６が、配設されている。カバー部材６は、一側部６１が、横桟４（図１に示すように、横桟保持具１の配設部位では横桟保持具１の押さえ部１４）と瓦５ａとの間に挟まれるように横桟４に固着され、他側部６２が、横桟４の軒側上角部（横桟保持具１の配設部位では横桟保持具１の上端部１３１）から斜め下方へ突出している。そして、他側部６２は、横桟保持具１の上から図８の２点鎖線の位置まで、妻方向に長い長尺状をなして、横桟４及び横桟保持具１の軒側面を略覆うこととなる。
【００２８】
以上のように構成された屋根構造においては、図８及び図９に示すように、各横桟４は、横桟保持具１、２の各支持部１２、２２に支持された状態で屋根下地８に取着され、各支持部１２、２２は屋根下地８に取着される固定部１１、２１から立上がっている。したがって、屋根下地８と各横桟４との間には間隙が生じ、瓦５の欠損部等から浸入した浸入水等は、それらの間隙を通って軒方向に流れ、軒先端部８５に配設された横桟４と屋根下地８との間隙から外部へ排水されることとなる。また、軒先端部８５に配設された横桟４と屋根下地８との間隙から外気が取り入れられ、各間隙を通って空気が流れることとなり、通気性が良くなって湿気が排除されることとなる。このため、横桟４等の木製部材の腐食を防ぐことができる。
【００２９】
また、軒先端部８５に配設された横桟４と屋根下地８との間隙から外部へ排出される水は、水切り部材７に沿って下方へ流れることとなる。したがって、排出される水が、建物の外壁に垂れたりすることなく、速やかに排出されることとなる。
【００３０】
また、軒側端部８５に配設された横桟４を保持する横桟保持具１の各支持部１２の立上がりの高さが、軒側端部８５より棟側に配設された横桟４を保持する横桟保持具２の各支持部２２の立上がりの高さより、高く形成されているので、瓦５ａを安定させることができる。また、軒先から外気を取り入れ易くなり、湿気が排除され易くなる。そして、最も水や湿気の溜まりやすい軒先部９の排水性や通気性が特に良くなるので、軒先部９の腐食を防ぐことができる。
【００３１】
また、カバー部材６が、横桟保持具１及び横桟保持具１に保持されている横桟４の軒側面を略覆っているので、横桟保持具１や横桟４が外からほとんど見えなくなり、見た目が良くなる。
【００３２】
なお、横桟保持具は上記形態のみならず、例えば、図１０に示すような形態であってもよい。図１０に示す横桟保持具３は、横桟保持具１と同様の固定部３１、左右の支持部３２、及び、立上がり部３３を備えているが、立上がり部３３の上端部から後方に延設された押さえ部３４は、２つの係止片３４１から構成されている。各係止片３４１は、立上がり部３３の上端部から後方かつ斜め上方に延設され、各係止片３４１の先端部は、斜め下方に向かうように、略垂直に折り曲げられている。
【００３３】
そして、図１１に示すように、横桟保持具３では、横桟４を横桟保持具３の各支持部３２と各係止片３４１との間に挿入し、各係止片３４１を上から叩いて、立上がり部３３と略垂直をなすような位置（図１０において２点鎖線で示す位置）まで下げることにより、横桟４を固定し保持する。なお、固定部３１は、横桟保持具１、２と同様に、釘により屋根下地８に取着することとする。このように構成すれば、釘打ちの必要なく、横桟４を横桟保持具３に固定することができる。
【００３４】
なお、横桟保持具２の押さえ部２４を、横桟保持具３の押さえ部３４と同様に構成してももちろんよい。
【００３５】
また、屋根材として瓦５以外のものを用いた屋根構造にも、本発明は適用可能である。
【００３６】
すなわち、特許請求の範囲を逸脱しない範囲で、本発明は種々の構成を採り得る。
【００３７】
【発明の効果】
本発明の屋根構造または横桟保持具によれば、屋根材を係止するための横桟は、横桟保持具の各支持部に支持された状態で屋根下地に配設され、各支持部は屋根下地に取着される固定部から立設されている。したがって、屋根下地と横桟との間には間隙が生じ、この間隙から浸入水等が排水されることとなって排水性が良くなり、また、通気性が良くなって湿気を排除することができる。
【００３８】
また、軒側端部に配設された横桟を保持する横桟保持具の各支持部の立上がりの高さを、軒側端部より棟側に配設された横桟を保持する横桟保持具の各支持部の立上がりの高さより、高く形成すれば、軒先から外気を取り入れ易くなり、湿気が排除され易くなる。
【００３９】
また、軒側端部に配設された横桟を保持する横桟保持具の下に、水切り部材を配設すれば、屋根下地と横桟との間隙から排出される水を、速やかに排出することができる。
【００４０】
また、軒側端部に配設された横桟を保持する横桟保持具の軒側面を覆うカバー部材を配設すれば、横桟保持具が外からほとんど見えなくなるので、見た目が良くなる。
【図面の簡単な説明】
【図１】本発明の屋根構造の一実施形態の概略断面図である。
【図２】本発明の横桟保持具であって、軒側端部に用いられる横桟保持具の一実施形態の側面図である。
【図３】図２の横桟保持具の平面図である。
【図４】図２の横桟保持具の斜視図である。
【図５】本発明の横桟保持具であって、軒側端部より棟側に用いられる横桟保持具の一実施形態の側面図である。
【図６】図５の横桟保持具の平面図である
【図７】図５の横桟保持具の斜視図である。
【図８】図１のＶＩＩＩ−ＶＩＩＩ部位概略断面図である。
【図９】図１のＩＸ−ＩＸ部位概略断面図である。
【図１０】本発明の横桟保持具の他の実施形態の斜視図である。
【図１１】図１０の横桟保持具に横桟を固定した場合の斜視図である。
【図１２】従来の屋根構造を示す図である。
【符号の説明】
１、２、３…横桟保持具
４…横桟
５…瓦（屋根材）
５ａ…軒瓦（軒先用の屋根材）
６…カバー部材
７…水切り部材
８…屋根下地
１１、２１、３１…固定部
１２、２２、３２…支持部
１３、２３、３３…立上がり部
１４、２４、３４…押さえ部
５１…棟側部
５２…軒側部
８５…軒側端部
１１１、２１１…側端部
１１２、２１２…前端部
１３１、２３１…上端部
【図１】
2004044159.tif 000003
【図２】
2004044159.tif 000004
【図３】
2004044159.tif 000005
【図４】
2004044159.tif 000006
【図５】
2004044159.tif 000007
【図６】
2004044159.tif 000008
【図７】
2004044159.tif 000009
【図８】
2004044159.tif 000010
【図９】
2004044159.tif 000011
【図１０】
2004044159.tif 000012
【図１１】
2004044159.tif 000013
【図１２】
2004044159.tif 000014